(57)【要約】  【課題】ディスプレイ上に、テレビ画面やＶＴＲ画面などと一緒に、文字や図形などのオンスクリーンディスプレイ（ＯＳＤ）画像を表示する際に、テレビ画面などを見えにくくすることなく、ＯＳＤ画像を見やすく表示することのできる画像表示装置を提供すること。  【解決手段】映像信号供給手段から供給されるビデオ画像と一緒に、ＯＳＤ画像を表示画面上に表示する機能と、ＯＳＤ画像をビデオ画像に多重して表示する部分については、ＯＳＤ画像の下からビデオ画像が透けて見えるように、ＯＳＤ画像の合成係数をα（０≦α≦１）とし、ビデオ画像の合成係数をβ（＝１−α）として、これら画像の合成を行う機能とを有する表示制御手段を備えた画像表示装置において、ＯＳＤ画像と多重して表示される部分のビデオ画像が、同色又は近似色だけで形成されている場合、ＯＳＤ画像の合成係数αを、ビデオ画像の合成係数βよりも大きくして合成を行うようにする。  【選択図】図８
2008116974.tif 000002
【特許請求の範囲】
【請求項１】
映像信号供給手段から供給されるビデオ画像と一緒に、文字や図形などのオンスクリー
ンディスプレイ画像を表示画面上に表示する機能と、
前記オンスクリーンディスプレイ画像を前記ビデオ画像に多重して表示する部分につい
ては、前記オンスクリーンディスプレイ画像の下から前記ビデオ画像が透けて見えるよう
に、前記オンスクリーンディスプレイ画像の合成係数をα（０≦α≦１）とし、前記ビデ
オ画像の合成係数をβ（＝１−α）として、これら画像の合成を行う機能とを有する表示
制御手段を備えた画像表示装置において、
前記オンスクリーンディスプレイ画像と多重して表示される部分の前記ビデオ画像が、
同色、又は近似色だけで形成されている場合、
前記表示制御手段が、前記オンスクリーンディスプレイ画像の合成係数αを、前記ビデ
オ画像の合成係数βよりも大きくして、前記合成を行うものであることを特徴とする画像
表示装置。
【請求項２】
前記オンスクリーンディスプレイ画像と多重して表示される部分の前記ビデオ画像が、
同色、又は近似色だけで形成されている場合、
前記表示制御手段が、前記オンスクリーンディスプレイ画像の合成係数αを１とし、前
記ビデオ画像の合成係数βを０として、前記合成を行うものであることを特徴とする請求
項１記載の画像表示装置。
【発明の詳細な説明】
【技術分野】
【０００１】
本発明は画像表示装置に関し、より詳細には、ディスプレイ上に、テレビ画面やＶＴＲ
画面などと一緒に、文字や図形などの画像を表示するオンスクリーンディスプレイ（以降
、ＯＳＤと記す）機能を実現することのできる画像表示装置に関する。
【背景技術】
【０００２】
従来、テレビ画面やＶＴＲ画面上などに重ねて、放送局を表す文字やプリセットＳＷな
どの画像（ＯＳＤ画像）を表示する場合、該ＯＳＤ画像の表示位置において、テレビ画面
などを形成する画像（ビデオ画像）の画素を前記ＯＳＤ画像の画素に置き換えていた。
そのため、前記ＯＳＤ画像の画素に置き換えられた部分については、ユーザーは前記ビ
デオ画像を見ることができなかった。
【０００３】
また、テレビ画面上などに前記ＯＳＤ画像を重ねて表示するにあたっては、上記のよう
な単純な置き換えではなく、前記ビデオ画像の画素の色情報に対して係数α（０≦α≦１
）を乗じ、前記ＯＳＤ画像の画素の色情報に対して係数β（＝１−α）を乗じて、これら
の和をとることにより、前記ＯＳＤ画像の下から前記ビデオ画像が透けて見えるような表
示を行えることが知られている。
このように、前記ＯＳＤ画像の下から前記ビデオ画像が透けて見えるような表示とする
ことによって、従来、前記ＯＳＤ画像によって塗り潰されていた部分が見えるようになり
、ユーザーへ提供できる情報量を増やすことができる。
【０００４】
しかしながら、前記ＯＳＤ画像の下から前記ビデオ画像が透けて見えるような表示とす
ることにより、前記ＯＳＤ画像が見えにくくなる虞がある。特に、車両に搭載される画像
表示装置（例えば、テレビ）の場合には、装備されるディスプレイ画面があまり大きいも
のではないため、その可能性は高い。
また、前記ビデオ画像を縮小し、縮小することによって生じた余白部分に、前記ＯＳＤ
画像を表示するといった方法も提案されているが、これでは逆に前記ビデオ画像が見えに
くくなってしまう。
【発明の開示】
【課題を解決するための手段及び効果】
【０００５】
本発明は上記課題に鑑みなされたものであって、ディスプレイ上に、テレビ画面やＶＴ
Ｒ画面などと一緒に、文字や図形などのＯＳＤ画像を表示する際に、テレビ画面などを見
えにくくすることなく、前記ＯＳＤ画像を見やすく表示することのできる画像表示装置を
提供することを目的としている。
【０００６】
上記目的を達成するために本発明に係る画像表示装置（１）は、映像信号供給手段から
供給されるビデオ画像と一緒に、文字や図形などのオンスクリーンディスプレイ画像を表
示画面上に表示する機能と、前記オンスクリーンディスプレイ画像を前記ビデオ画像に多
重して表示する部分については、前記オンスクリーンディスプレイ画像の下から前記ビデ
オ画像が透けて見えるように、前記オンスクリーンディスプレイ画像の合成係数をα（０
≦α≦１）とし、前記ビデオ画像の合成係数をβ（＝１−α）として、これら画像の合成
を行う機能とを有する表示制御手段を備えた画像表示装置において、前記オンスクリーン
ディスプレイ画像と多重して表示される部分の前記ビデオ画像が、同色、又は近似色だけ
で形成されている場合、前記表示制御手段が、前記オンスクリーンディスプレイ画像の合
成係数αを、前記ビデオ画像の合成係数βよりも大きくして、前記合成を行うものである
ことを特徴としている。
【０００７】
また、本発明に係る画像表示装置（２）は、上記画像表示装置（１）において、前記オ
ンスクリーンディスプレイ画像と多重して表示される部分の前記ビデオ画像が、同色、又
は近似色だけで形成されている場合、前記表示制御手段が、前記オンスクリーンディスプ
レイ画像の合成係数αを１とし、前記ビデオ画像の合成係数βを０として、前記合成を行
うものであることを特徴としている。
【０００８】
ところで、ビデオ画像に真っ青な空などが映っており、その真っ青な空の部分にＯＳＤ
画像を重ねて表示する場合、該ＯＳＤ画像によって前記ビデオ画像が見えにくくなったと
しても別段問題を生じることはないものと思われる。
【０００９】
上記画像表示装置（１）によれば、前記ＯＳＤ画像を前記ビデオ画像に多重して表示す
る部分については、前記ＯＳＤ画像の下から前記ビデオ画像が透けて見えるように、前記
ＯＳＤ画像の合成係数をα（０≦α≦１）とし、前記ビデオ画像の合成係数をβ（＝１−
α）として、これら画像の合成を行うようになっている。
さらには、前記ＯＳＤ画像と多重して表示される部分の前記ビデオ画像が、同色、又は
近似色だけで形成されている場合、前記ＯＳＤ画像の合成係数αを、前記ビデオ画像の合
成係数βよりも大きくして、前記合成を行うようになっている。
【００１０】
従って、例えば、前記ビデオ画像に映っている真っ青な空に、前記ＯＳＤ画像を重ねて
表示する場合には、該ＯＳＤ画像の合成係数αを、前記ビデオ画像の合成係数βよりも大
きくして、前記合成が行われる。すなわち、前記ＯＳＤ画像の表示輝度が、前記ビデオ画
像の表示輝度よりも高くなるように、前記ＯＳＤ画像が表示されるので、該ＯＳＤ画像を
見えやすくすることができる。
【００１１】
また、上記画像表示装置（２）によれば、前記ＯＳＤ画像の合成係数αを１とし、前記
ビデオ画像の合成係数βを０として、前記合成を行うので、前記ＯＳＤ画像を非常に見え
やすくすることができる。
【発明を実施するための最良の形態】
【００１２】
以下、本発明に係る画像表示装置の実施の形態を図面に基づいて説明する。図１は、参
考の形態（１）に係る画像表示装置の要部を概略的に示したブロック図である。なお、こ
こでは車両に搭載される画像表示装置について説明する。
図中１はビデオ画像（アスペクト比３：４）を形成するビデオ信号を供給するテレビチ
ューナを示しており、テレビチューナ１はビデオ信号を同期分離回路２と、後述するスイ
ッチ切換制御信号に基づき、液晶パネル５（アスペクト比９：１６）へ出力する信号を切
り換えるための切換回路３の入力端子３ａへ送信するようになっている。
【００１３】
同期分離回路２はテレビチューナ１からのビデオ信号に基づき、垂直同期信号、及び水
平同期信号を描画処理回路４へ送信するようになっており、また、描画処理回路４は同期
分離回路２から送信されてくる前記垂直同期信号、及び前記水平同期信号に基づき、ＯＳ
Ｄ画像の表示開始タイミングに合わせて、ＯＳＤ信号を切換回路３の入力端子３ｂへ送信
するようになっている。また、描画処理回路４は前記垂直同期信号、及び前記水平同期信
号に基づき、液晶パネル５の画面走査位置に合わせて、スイッチ切換制御信号を切換回路
３へ送信するようになっている。
【００１４】
また、描画処理回路４は、外部より車両に対する乗車状況を示した信号（例えば、運転
席における乗員の有無や、助手席における乗員の有無を示した信号）を取り込むことがで
きるようになっており、取り込んだ信号に基づいて、所定のタイミングで前記スイッチ切
換制御信号を切換回路３へ送信したり、前記ＯＳＤ信号を切換回路３の入力端子３ｂへ送
信したりするようになっている。
【００１５】
例えば、助手席には乗員がおらず、前部座席には運転者しかいない場合には、ビデオ画
像を助手席側へ寄せて表示させると共に、前記ビデオ画像を寄せて表示させることによっ
て形成された余白部にＯＳＤ画像を表示させるように、前記スイッチ切換制御信号を切換
回路３へ送信し、また、前記助手席にも乗員がいる場合には、前記ビデオ画像を運転者側
へ寄せて表示させると共に、前記ビデオ画像を寄せて表示させることによって形成された
余白部にＯＳＤ画像を表示させるように、前記スイッチ切換制御信号を送信するようにな
っている。
【００１６】
すなわち、描画処理回路４は、助手席には乗員がおらず、前部座席には運転者しかいな
い場合であり、液晶パネル５の画面走査位置が領域Ｅ11（図２（ａ）参照）にある場合に
は、切換回路３において入力端子３ａと出力端子３ｃとを接続させるように、前記スイッ
チ切換制御信号を切換回路３へ送信し、他方、前記画面走査位置が領域Ｅ12にある場合に
は、入力端子３ｂと出力端子３ｃとを接続させるように、前記スイッチ切換制御信号を切
換回路３へ送信するようになっている。
【００１７】
また、その逆に、助手席に乗員がいる場合であり、液晶パネル５の画面走査位置が領域
Ｅ21（図２（ｂ）参照）にある場合には、切換回路３において入力端子３ｂと出力端子３
ｃとを接続させるように、前記スイッチ切換制御信号を切換回路３へ送信し、他方、前記
走査位置が領域Ｅ22にある場合には、入力端子３ａと出力端子３ｃとを接続させるように
、前記スイッチ切換制御信号を切換回路３へ送信するようになっている。
換言すれば、描画処理回路４は、液晶パネル５の画面走査位置が余白部（領域Ｅ12、Ｅ
21）にある期間のみ、切換回路３の入力端子３ｂと出力端子３ｃとを接続させるように、
前記スイッチ切換制御信号を送信するようになっている。
【００１８】
図２（ａ）に、ビデオ画像を運転席側へ寄せて表示させ、前記ビデオ画像を寄せて表示
させることによって形成された余白部にＯＳＤ画像を表示させた場合の画面表示の一例を
示し、図２（ｂ）に、ビデオ画像を助手席側へ寄せて表示させ、前記ビデオ画像を寄せて
表示させることによって形成された余白部にＯＳＤ画像を表示させた場合の画面表示の一
例を示す。なお、乗車状況を示した信号については、シートベルトの着用状態を検知する
シートベルト検知センサなどから送信される信号を取り込むようになっている。
【００１９】
上記参考の形態（１）に係る画像表示装置によれば、前記ビデオ画像を液晶パネル５の
表示画面上の中央部に位置するように表示するのではなく、左右のいずれかへ寄せて表示
し、前記ビデオ画像を寄せることによって形成される余白部に、前記ＯＳＤ画像を表示す
ることができる。
【００２０】
すなわち、広くなった前記余白部に、前記ＯＳＤ画像を表示するため、該ＯＳＤ画像を
見えやすくすることができる。また、前記ビデオ画像を寄せる側については、前記車両に
対する乗車状況に基づいて決定されるようになっているので、ユーザーに対してより一層
適したかたちで前記ＯＳＤ画像を表示することができる。
【００２１】
なお、別の参考の形態に係る画像表示装置では、前記車両の動態に関する情報を取り込
むことができるようにし、例えば、前記車両が停止している場合には、助手席における乗
員の有無に関係なく、前記ＯＳＤ画像が運転席側に表示されるように、前記ビデオ画像を
助手席側に寄せて表示させるようにしても良い。
【００２２】
図３は、参考の形態（２）に係る画像表示装置の要部を概略的に示したブロック図であ
る。但し、図１に示した画像表示装置と同様の構成部分については同符号を付し、ここで
はその説明を省略する。
ビデオ画像（アスペクト比３：４）を形成するビデオ信号を供給するテレビチューナ１
はビデオ信号を同期分離回路２と、スイッチ切換制御信号に基づき、液晶パネル５（アス
ペクト比９：１６）へ出力する信号を切り換えるための切換回路１３の入力端子１３ａと
、乗算器１５へ送信するようになっている。
【００２３】
同期分離回路２はテレビチューナ１からのビデオ信号に基づき、垂直同期信号、及び水
平同期信号を描画処理回路１４へ送信するようになっており、また、乗算器１５はテレビ
チューナ１から送信されてきた前記ビデオ信号と合成係数ｋ1（０≦ｋ1≦１）との乗算
を行い、乗算した結果を加算器１７へ出力するようになっている。
【００２４】
描画処理回路１４は、同期分離回路２から送信されてくる前記垂直同期信号、及び前記
水平同期信号に基づき、（液晶パネル５における表示画面の上部に表示する）ＯＳＤ画像
の表示開始タイミングに合わせて、ＯＳＤ信号を切換回路１３の入力端子１３ｃと、乗算
器１６へ送信し、また、前記垂直同期信号、及び前記水平同期信号に基づき、液晶パネル
５の画面走査位置に合わせて、前記スイッチ切換制御信号を切換回路１３へ送信するよう
になっている。
【００２５】
乗算器１６は、描画処理回路１４から送信されてきた前記ＯＳＤ信号と合成係数ｋ2（
＝１−ｋ1）との乗算を行い、乗算した結果を加算器１７へ出力するようになっている。
加算器１７は、乗算器１５、１６それぞれから出力されてきた信号を合成した合成信号を
切換回路１３の入力端子１３ｂへ送信するようになっている。
【００２６】
また、描画処理回路１４は、液晶パネル５の画面走査位置が領域Ｅ35（図４（ｃ）参照
）にある場合には、切換回路１３において入力端子１３ａと出力端子１３ｄとを接続させ
るように、前記スイッチ切換制御信号を切換回路１３へ送信し、前記画面走査位置が領域
Ｅ32にある場合には、入力端子１３ｂと出力端子１３ｄとを接続させるように、前記スイ
ッチ切換制御信号を切換回路１３へ送信し、また、前記画面走査位置が領域Ｅ32、Ｅ35以
外にある場合には、入力端子１３ｃと出力端子１３ｄとを接続させるように、前記スイッ
チ切換制御信号を切換回路１３へ送信するようになっている。
【００２７】
図４（ａ）は、表示画面Ｅの中央部にビデオ画像Ｐ1を表示させた場合の画面表示の一
例であり、図４（ｂ）は、表示画面Ｅの上部にＯＳＤ画像Ｐ2を表示させた場合の画面表
示の一例であり、また、図４（ｃ）は、ビデオ画像Ｐ1とＯＳＤ画像Ｐ2とを一緒に表示
させた場合の画面表示の一例である。なお、図４（ｃ）に示した画面表示では、ビデオ画
像Ｐ1の上部とＯＳＤ画像Ｐ2の中央部とが重なって表示されている。
【００２８】
上記参考の形態（２）に係る画像表示装置によれば、ＯＳＤ画像Ｐ2をビデオ画像Ｐ1
に多重して表示する部分（領域Ｅ32）については、ＯＳＤ画像Ｐ2の下からビデオ画像Ｐ
1が透けて見えるように、これら画像の合成を行うようになっている。
すなわち、ＯＳＤ画像Ｐ2の下からビデオ画像Ｐ1が透けて見えるように、これら画像
のいずれの表示輝度も落として、これら画像の合成を行うようになっている（例えば、合
成係数ｋ1を１／２に設定する）。
【００２９】
また、余白部（領域Ｅ31、Ｅ33）に表示するＯＳＤ画像Ｐ2については、ビデオ画像Ｐ
1と重なっておらず、ＯＳＤ画像Ｐ2の表示輝度を落とす必要がないため、そのままスル
ーで表示するようになっている。これにより、ＯＳＤ画像Ｐ2を見えやすくすることがで
きる。
【００３０】
上記参考の形態（２）に係る画像表示装置では、表示輝度を落とす必要のないところで
は、スルー表示することによって、前記ＯＳＤ画像をより見えやすくするようにしている
が、前記ビデオ画像と重なっている部分と、重なっていない部分（前記余白部に表示され
ている部分）とでは、表示輝度に差があるため、ユーザーによっては見えにくくなる虞が
ある。
【００３１】
そこで、別の参考の形態に係る画像表示装置では、図５に示したように、乗算器１６で
乗算された結果を加算器１７だけでなく、切換回路１３の入力端子１３ｃへも送信して（
すなわち、入力端子１３ｃへも乗算処理の施されたＯＳＤ信号を送信して）、前記余白部
（領域Ｅ31、Ｅ33）に表示する前記ＯＳＤ画像についても、前記ビデオ画像と重ねて表示
されるＯＳＤ画像と同じ表示輝度で表示するようにしても良い。これにより、上記問題を
解決することができる。なお、図５に示した画像表示装置は、図３に示した画像表示装置
と同様の構成部分については同符号を付し、ここではその説明を省略する。
【００３２】
図６は、参考の形態（３）に係る画像表示装置の要部を概略的に示したブロック図であ
る。但し、図３に示した画像表示装置と同様の構成部分については同符号を付し、ここで
はその説明を省略する。
ビデオ画像（アスペクト比３：４）を形成するビデオ信号を供給するテレビチューナ１
はビデオ信号を同期分離回路２と、スイッチ切換制御信号に基づき、液晶パネル５（アス
ペクト比９：１６）へ出力する信号を切り換えるための切換回路１３の入力端子１３ａと
、乗算器１５へ送信するようになっている。
【００３３】
同期分離回路２はテレビチューナ１からのビデオ信号に基づき、垂直同期信号、及び水
平同期信号を描画処理回路２４へ送信するようになっており、また、乗算器１５はテレビ
チューナ１から送信されてきたビデオ信号と合成係数ｋ1（０≦ｋ1≦１）との乗算を行
い、乗算した結果を加算器１７へ出力するようになっている。
【００３４】
描画処理回路２４は同期分離回路２から送信されてくる前記垂直同期信号、及び前記水
平同期信号に基づき、（液晶パネル５における表示画面の上部に表示する）ＯＳＤ画像の
表示開始タイミングに合わせて、ＯＳＤ信号を切換回路１３の入力端子１３ｃと、乗算器
１６へ送信し、また、前記垂直同期信号、及び前記水平同期信号に基づき、液晶パネル５
の画面走査位置に合わせて、前記スイッチ切換信号を切換回路１３へ送信するようになっ
ている。
【００３５】
乗算器１６は描画処理回路２４から送信されてきたＯＳＤ信号と合成係数ｋ2（＝１−
ｋ1）との乗算を行い、乗算した結果を加算器１７へ出力するようになっている。加算器
１７は乗算器１５、１６それぞれから出力されてきた信号を合成した合成信号を切換回路
１３の入力端子１３ｂへ送信するようになっている。
【００３６】
また、描画処理回路２４は、液晶パネル５の画面走査位置が領域Ｅ35（図４参照）にあ
る場合には、切換回路１３において入力端子１３ａと出力端子１３ｄとを接続させるよう
に、前記スイッチ切換制御信号を切換回路１３へ送信し、前記画面走査位置が領域Ｅ32に
ある場合には、入力端子１３ｂと出力端子１３ｄとを接続させるように、前記スイッチ切
換制御信号を切換回路１３へ送信し、また、前記画面走査位置が領域Ｅ32、Ｅ35以外にあ
る場合には、入力端子１３ｃと出力端子１３ｄとを接続させるように、前記スイッチ切換
制御信号を切換回路１３へ送信するようになっている。
【００３７】
また、テレビチューナ１からは外部からビデオ画像を受信した際の電界強度信号が、合
成係数変更手段２５へ送信されるようになっており、合成係数変更手段２５はテレビチュ
ーナ１から送信されてくる電界強度信号に基づいて、合成係数ｋ1の値を変更し、変更し
た合成係数ｋ1を乗算器１５、１６それぞれへ送信するようになっている。
【００３８】
例えば、合成係数変更手段２５は、前記電界強度信号に基づいて、ビデオ画像の受信状
態が所定のレベル以上であると判断すれば、合成係数ｋ1の変更は行わず（例えば、１／
２のままとし）、他方、前記ビデオ画像の受信状態が前記所定のレベル未満であると判断
すれば、合成係数ｋ1を小さくする（すなわち、合成係数ｋ2を大きくする）。なお、合
成係数ｋ1の変更については、受信状態に応じてリニアに変更するようにしても良い。
【００３９】
上記参考の形態（３）に係る画像表示装置によれば、前記ＯＳＤ画像を前記ビデオ画像
に多重して表示する部分については、前記ＯＳＤ画像の下から前記ビデオ画像が透けて見
えるように、これら画像の合成を行うようになっており、さらには、前記ビデオ画像の受
信状態に基づいて、前記合成の調整を行うようになっている。
例えば、前記ビデオ画像の受信状態が低下し、表示画面上へ前記ビデオ画像を表示して
いる価値が低くなった場合には、前記ＯＳＤ画像の表示輝度が前記ビデオ画像の表示輝度
よりも高くなるように、前記合成の調整が行われる。これにより、前記ＯＳＤ画像を見え
やすくすることができる。
【００４０】
また、別の参考の形態に係る画像表示装置では、図７に示したように、テレビチューナ
１からの電界強度信号を、描画処理回路２４Ａへも送信されるようにし、描画処理回路２
４Ａがテレビチューナ１から送信されてくる電界強度信号に基づいて、ＯＳＤ画像の大き
さを調整するようにしても良い。例えば、前記電界強度信号に基づいて、ビデオ画像の受
信状態が所定のレベル未満であると判断すれば、前記ＯＳＤ画像を大きくし、該ＯＳＤ画
像を見えやすくする。なお、図７に示した画像表示装置は、図６に示した画像表示装置と
同様の構成部分については同符号を付し、ここではその説明を省略する。また、大きさの
調整については、受信状態に応じてリニアに調整するようにしても良い。
【００４１】
さらに、別の参考の形態に係る画像表示装置では、前記車両の動態に関する情報を取り
込むことができるようにして、例えば、前記車両の速度が所定の速度以上である場合には
、前記ＯＳＤ画像の表示輝度が前記ビデオ画像の表示輝度よりも高くなるように、合成係
数ｋ1を小さくしたり、前記ＯＳＤ画像が大きくなるようにしても良い。
【００４２】
図８は、実施の形態（１）に係る画像表示装置の要部を概略的に示したブロック図であ
る。但し、図３に示した画像表示装置と同様の構成部分については同符号を付し、ここで
はその説明を省略する。
ビデオ画像（アスペクト比３：４）を形成するビデオ信号を供給するテレビチューナ１
はビデオ信号を同期分離回路２と、スイッチ切換制御信号に基づき、液晶パネル５（アス
ペクト比９：１６）へ出力する信号を切り換えるための切換回路１３の入力端子１３ａと
、乗算器１５と、画像パターン検出手段３５へ送信するようになっている。
【００４３】
同期分離回路２はテレビチューナ１からのビデオ信号に基づき、垂直同期信号、及び水
平同期信号を描画処理回路３４へ送信するようになっており、また、乗算器１５はテレビ
チューナ１から送信されてきたビデオ信号と合成係数ｋ1（０≦ｋ1≦１）との乗算を行
い、乗算した結果を加算器１７へ出力するようになっている。
【００４４】
描画処理回路３４は同期分離回路２から送信されてくる前記垂直同期信号、及び前記水
平同期信号に基づき、（液晶パネル５における表示画面の上部に表示する）ＯＳＤ画像の
表示開始タイミングに合わせて、ＯＳＤ信号を切換回路１３の入力端子１３ｃと、乗算器
１６へ送信し、また、前記垂直同期信号、及び前記水平同期信号に基づき、液晶パネル５
の画面走査位置に合わせて、前記スイッチ切換制御信号を切換回路１３へ送信するように
なっている。
【００４５】
乗算器１６は描画処理回路３４から送信されてきたＯＳＤ信号と合成係数ｋ2（＝１−
ｋ1）との乗算を行い、乗算した結果を加算器１７へ出力するようになっている。加算器
１７は乗算器１５、１６それぞれから出力されてきた信号を合成した合成信号を切換回路
１３の入力端子１３ｂへ送信するようになっている。
【００４６】
また、描画処理回路３４は、液晶パネル５の画面走査位置が領域Ｅ35（図４参照）にあ
る場合には、切換回路１３において入力端子１３ａと出力端子１３ｄとを接続させるよう
に、前記スイッチ切換制御信号を切換回路１３へ送信し、前記画面走査位置が領域Ｅ32に
ある場合には、入力端子１３ｂと出力端子１３ｄとを接続させるように、前記スイッチ切
換制御信号を切換回路１３へ送信し、また、前記画面走査位置が領域Ｅ32、Ｅ35以外にあ
る場合には、入力端子１３ｃと出力端子１３ｄとを接続させるように、前記スイッチ切換
制御信号を切換回路１３へ送信するようになっている。
【００４７】
画像パターン検出手段３５は、前記ＯＳＤ画像を表示する領域Ｅ32でのビデオ画像の画
像パターンを検出し、その検出結果に基づいて、合成係数ｋ1の値を変更し、変更した合
成係数ｋ1を乗算器１５、１６それぞれへ送信するようになっている。
例えば、画像パターン検出手段３５は、領域Ｅ32（又は領域Ｅ32を含むその周辺領域）
におけるビデオ画像が同色、又は近似色だけで形成されているか否かを検出し、領域Ｅ32
における前記ビデオ画像が同色、又は近似色だけで形成されている場合には、合成係数ｋ
2を１とするために、合成係数ｋ1を０とする。
【００４８】
上記実施の形態（１）に係る画像表示装置によれば、前記ＯＳＤ画像を前記ビデオ画像
に多重して表示する部分については、前記ＯＳＤ画像の下から前記ビデオ画像が透けて見
えるように、これら画像の合成を行うようになっている。
さらには、前記ＯＳＤ画像と多重して表示される部分の前記ビデオ画像が、同色、又は
近似色だけで形成されている場合（例えば、真っ青な空や、海上である場合）、合成係数
ｋ1を０として、すなわち、合成係数ｋ2を１として、前記ビデオ画像と前記ＯＳＤ画像
の合成を行うようになっている。従って、前記ＯＳＤ画像を実質スルー表示しているのと
同じとなるため、前記ＯＳＤ画像を非常に見えやすくすることができる。
【図面の簡単な説明】
【００４９】
【図１】参考の形態（１）に係る画像表示装置の要部を概略的に示したブロック図である。
【図２】（ａ）、（ｂ）は参考の形態（１）に係る画像表示装置における画面表示の一例を示した図である。
【図３】参考の形態（２）に係る画像表示装置の要部を概略的に示したブロック図である。
【図４】（ａ）は表示画面の中央部にビデオ画像を表示させた場合の画面表示の一例であり、（ｂ）は表示画面の上部にＯＳＤ画像を表示させた場合の画面表示の一例であり、（ｃ）は参考の形態（２）に係る画像表示装置における画面表示の一例を示した図である。
【図５】別の参考の形態に係る画像表示装置の要部を概略的に示したブロック図である。
【図６】参考の形態（３）に係る画像表示装置の要部を概略的に示したブロック図である。
【図７】別の参考の形態に係る画像表示装置の要部を概略的に示したブロック図である。
【図８】本発明の実施の形態（１）に係る画像表示装置の要部を概略的に示したブロック図である。
【符号の説明】
【００５０】
３、１３  切換回路
４、１４、２４、２４Ａ、３４  描画処理回路
１５、１６  乗算器
１７  加算器
２５  合成係数変更手段
３５  画像パターン検出手段
【図１】
2008116974.tif 000003
【図２】
2008116974.tif 000004
【図３】
2008116974.tif 000005
【図４】
2008116974.tif 000006
【図５】
2008116974.tif 000007
【図６】
2008116974.tif 000008
【図７】
2008116974.tif 000009
【図８】
2008116974.tif 000010